(57)【特許請求の範囲】
【請求項１】
少なくとも１以上の受信可能な放送局をプリセットするプリセット機能を有する受信装置であって、
チューナーと、
現在の受信位置を検出する現在地認識手段と、
前記チューナーの受信周波数を設定する複数の設定手段と、
前記プリセットの際に前記チューナーによって受信可能な放送局の周波数を前記各設定手段に対応付けて記憶するプリセット情報記憶手段と、
前記各放送局に属する少なくとも１つの基地局の所在地と、前記基地局から発せられる放送の周波数の情報とが対応付けて予め記憶されている選局情報記憶手段と、
前記設定手段が選択的に操作されると、選択された設定手段に対応付けられて前記プリセット情報記憶手段に記憶されている周波数を前記チューナーの受信周波数に設定する制御手段とを備え、
前記制御手段は、前記プリセットの際に、前記チューナーが受信可能な放送の周波数を検出すると、該検出された周波数に基づいて前記選局情報記憶手段に記憶されている前記放送の周波数の情報を検索すると共に、該検索した放送の周波数の情報と対応付けられている前記基地局の所在地と、前記基地局が属している放送局とを検索し、前記検索した所在地と前記現在地認識手段で検出される現在の受信位置とに基づいて現在の受信位置が基地局の受信可能範囲内に該当すると判断すると、前記検出された周波数を前記検索した放送局の群として、前記設定手段のうちの空いた設定手段に対応付けて、前記プリセット情報記憶手段に記憶させること、  を特徴とする受信装置。
【請求項２】
前記制御手段は、前記プリセットの際に検出された周波数が前記プリセット情報記憶手段に記憶済の周波数とは異なり、且つ対応付けられている放送局が同じ場合に、前記プリセット情報記憶手段に記憶済の当該放送局の群に前記検出された周波数を追加して記憶すること、
を特徴とする請求項１に記載の受信装置。
【発明の詳細な説明】
【０００１】
【発明の属する技術分野】
本発明は、例えばラジオ放送等を受信する受信装置に関し、特に、発信局の周波数を自動的に選局するための自動プリセット機能を備えた受信装置に関するものである。
【０００２】
【従来の技術】
従来、この種の受信装置として、車載用オーディオシステムに備えられた受信装置が知られている。図７は、従来の車載用オーディオシステムの構成例を示している。同図において、この車載用オーディオシステムの操作パネル１には、表示部２とコンパクトディスク挿入口３とカートリッジテープ挿入口４の他、音量調節用釦５、チューニング釦６、自動プリセット釦７、設定釦８〜１３等の操作釦が設けられている。
【０００３】
チューニング釦６は、受信装置の受信周波数を微調整するために設けられている。自動プリセット釦７は、使用者等が受信可能な放送局の周波数を自動的にプリセットするために設けられている。設定釦８〜１３は、自動プリセット釦７によってプリセットされた放送局をワンタッチで選局するために設けられている。
【０００４】
使用者等が自動プリセット釦７を押すと、上記の受信装置が受信可能な放送局の周波数を低い周波数から高い周波数へ掃引し、この掃引によって検出した放送局の周波数を自動的に設定釦８〜１３に割り当てて所定の記憶手段に記憶させる。
【０００５】
上記の記憶手段は、図８のメモリマップに示すように、自動プリセットの際に検出されるＦＭ放送局とＡＭ放送局の各周波数を、設定釦８〜１３に割り当てられている各チャンネルＣＨ１〜ＣＨ６に対応付けて記憶するようになっている。
自動プリセットが完了した後、使用者等が、図示していないＦＭ受信バンド設定用のバンド切換え釦を操作し、続いて設定釦８〜１３のうちの１つを押すと、押された設定釦に割り当てられているＦＭ受信バンドの周波数を記憶手段から検索して受信装置の受信周波数に設定する。これにより、受信装置が使用者等の希望するＦＭ放送局の放送を受信する。
【０００６】
また、使用者等が、図示しないＡＭ受信バンド設定用のバンド切換え釦を操作し、続いて設定釦８〜１３のうちの１つを押すと、押された設定釦に割り当てられているＡＭ受信バンドの周波数を記憶手段から検索して受信装置の受信周波数に設定する。これにより、受信装置が使用者等の希望するＡＭ放送局の放送を受信する。
【０００７】
したがって、使用者等は、自動プリセット釦７を１回押すだけで、複数の放送局を設定釦８〜１３に対応付けてプリセットさせることができ、更に、自動プリセットの完了後には、設定釦８〜１３を選択的に押すことで所望の放送を聴くことができるようになっている。
【０００８】
【発明が解決しようとする課題】
ところで、上記従来の車載用オーディオシステムに搭載されている受信装置は、上記したように、受信可能な複数の放送局を設定釦８〜１３に対応付けて自動的にプリセットするので、使用者等に優れた利便性を提供するものであるが、次のような解決すべき課題があった。
【０００９】
図９に示すように、ラジオ放送網では、複数の基地局Ｐ１，Ｐ２，Ｐ３等から同一の放送をそれぞれ異なった周波数（搬送周波数）ｆ1，ｆ2，ｆ3等を用いて発信する放送局、例えば、ＮＨＫ等が知られている。すなわち、このような放送局は、複数の基地局Ｐ１，Ｐ２，Ｐ３等から同一の放送を発信することにより、受信不能地域を無くすようにしている。
【００１０】
ところが、これらの基地局Ｐ１，Ｐ２，Ｐ３等から発せられる各放送を同時に受信することができる所謂オーバーラップゾーンＺｎを走行しているときに、上記従来の受信装置に自動プリセットを行わせると、同一放送であるにも拘わらず、それぞれ異なった放送局の放送を受信したものとして、上記周波数ｆ1，ｆ2，ｆ3等を各設定釦８〜１３に対応付けてプリセットしてしまう。
【００１１】
したがって、本来は６個の設定釦８〜１３に対応付けて６個の異なった放送局をプリセットするようになっているにも拘わらず、同一放送局によって複数の選局釦が占有されてしまうため、受信可能な他の放送局は残りの設定釦のみにプリセットされることとなり、この結果、プリセットが可能な放送局の数が実質的に減ってしまうという問題があった。また、複数の設定釦に同一放送局が割り当てられると、別の放送局を選局するのに手間がかかる場合があり、使用者等にとって操作性が悪くなるという問題があった。
【００１２】
本発明は、上記従来技術の問題点を克服するためになされたものであり、設定手段の有効利用を可能にする受信装置を提供することを目的とする。
【００１５】
【課題を解決するための手段】
上記目的を達成するため本発明は、少なくとも１以上の受信可能な放送局をプリセットするプリセット機能を有する受信装置であって、チューナーと、現在の受信位置を検出する現在地認識手段と、上記チューナーの受信周波数を設定する複数の設定手段と、上記プリセットの際に上記チューナーによって受信可能な放送局の周波数を上記各設定手段に対応付けて記憶するプリセット情報記憶手段と、上記各放送局に属する少なくとも１つの基地局の所在地と、上記基地局から発せられる放送の周波数の情報とが対応付けて予め記憶されている選局情報記憶手段と、上記設定手段が選択的に操作されると、選択された設定手段に対応付けられて上記プリセット情報記憶手段に記憶されている周波数を上記チューナーの受信周波数に設定する制御手段とを備え、上記制御手段は、上記プリセットの際に、上記チューナーが受信可能な放送の周波数を検出すると、該検出された周波数に基づいて上記選局情報記憶手段に記憶されている上記放送の周波数の情報を検索すると共に、該検索した放送の周波数の情報と対応付けられている上記基地局の所在地と、上記基地局が属している放送局とを検索し、上記検索した所在地と上記現在地認識手段で検出される現在の受信位置とに基づいて現在の受信位置が基地局の受信可能範囲内に該当すると判断すると、上記検出された周波数を上記検索した放送局の群として、上記設定手段のうちの空いた設定手段に対応付けて、上記プリセット情報記憶手段に記憶させる構成とした。
【００１６】
かかる構成によると、受信可能な放送の周波数に基づいて選局情報記憶手段に記憶されている基地局の所在地等の情報が検索され、現在地認識手段によって現在の受信位置が特定される。更に、これらの検索された情報と現在の受信位置に基づいて、現在の受信位置が基地局の受信可能範囲内にあるか否かが判断される。また、その特定された基地局の属する放送局が特定される。現在の受信位置が基地局の受信可能範囲内にある場合には、この特定された放送局が空いている設定手段に対応付けられ、更に、周波数が放送局に対応付けられる。この結果、放送の発信源である基地局が高精度で特定されて、その基地局の属する放送局が周波数と共に設定手段に対応付けてプリセットされるため、高精度のプリセットが実現される。
【００１７】
また、同一の放送局に属する基地局からの放送の周波数は、その放送局の群として空いた設定手段に対応付けてプリセットされる。この結果、各設定手段には、それぞれ異なった放送局がプリセットされ、設定手段の有効利用が図られる。
【００１８】
【発明の実施の形態】
以下、本発明の実施の形態を図面を参照して説明する。尚、一実施形態として、車載用オーディオシステムに設けられる受信装置について説明する。図１において、本車載用オーディオシステム１４の操作パネル１５には、液晶ディスプレイ等で形成された表示部１６と、記録媒体であるコンパクトディスク（ＣＤ；Compact Disc）を後述のＣＤ再生装置３１に挿入するための挿入口１７と、記録媒体であるミニディスク（ＭＤ；Mini Disc）を後述のＭＤ再生装置３２に挿入するための挿入口１８と、スピーカの音量を調節するための操作釦１９が設けられている。挿入口１８の下方には、複数個のソース選択釦２０〜２３と、設定釦２４〜２７が設けられ、ソース選択釦２３の右側にはプリセット釦２８、設定釦２７の右側には、使用者等が受信装置の受信周波数を手動で発信局（放送局）の周波数に同調させるためのチューニング釦２９が設けられている。
【００１９】
尚、操作パネル１５には、操作釦１９〜２９以外の各種操作釦が備えられているが、説明の都合上省略している。
【００２０】
これらの表示部１６とＣＤ再生装置３１とＭＤ再生装置３２及び各操作釦１９〜２９は、図２のブロック図に示すように、本車載用オーディオシステム１４に搭載された制御回路に備えられている中央制御部３４に接続されている。
【００２１】
更に、中央制御部３４には、ＦＭ放送とＡＭ放送を受信するためにチューナー３０と、スピーカ３３と、現在地認識部３５が接続される他、半導体メモリで形成されたプログラム記憶部３６と選局データ記憶部３７及びプリセットデータ記憶部３８が接続されている。
【００２２】
プログラム記憶領域３６には、予め設定されたシステムプログラムが記憶されており、中央制御部３４に備えられているマイクロプロセッサ（ＭＰＵ）が上記システムプログラムを実行することで、車載用オーディオシステム１４全体の動作を制御する。
【００２３】
現在地認識部３５は、例えば、ＧＰＳ（Global Positioning System）航法を用いて、現在車両が走行している絶対位置を経度と緯度のデータとして求め、これらのデータをリアルタイムで中央制御部３４に供給する。また、その他にも、ＶＩＣＳ（Vehicle Information and Communication System）情報を用いたり、車両に取り付ける距離センサや角度センサ、自律センサ等を用いることによって、現在車両が走行している絶対位置を経度と緯度のデータとして求めることも可能である。
【００２４】
選局データ記憶部３７には、ＦＭ受信バンドとＡＭ受信バンド毎に、ラジオ放送用周波数のチャンネル番号表に掲載されている全国の放送局の局名と、それら各放送局の周波数と、基地局の所在地（緯度と経度）、及び基地局の受信可能範囲を表すデータが予め記憶されている。
【００２５】
すなわち、全国のＦＭ放送局（Ｂ１）〜（Ｂｎ）の局名と各ＦＭ放送局の周波数及び基地局の所在地のデータは、図３に示すような階層化されたファイル構造に基づいて記憶されている。更に、同一の放送局が複数の基地局を有しそれぞれの基地局から異なった周波数で放送を行っている場合には、同一の放送局に対応付けて、複数の基地局とその所在地及び各基地局から発せられるＦＭ放送の周波数に関するデータが、上記のファイル構造に基づいて記憶されている。
【００２６】
また、全国のＡＭ放送局の局名と各ＡＭ放送局の基地局の所在地と、各基地局から発せられるＡＭ放送の周波数及び受信可能範囲に関するデータも、図３と同様のファイル構造によって、選局データ記憶部３７中に記憶されている。
【００２７】
プリセットデータ記憶部３８は、自動プリセットによって検出されるＦＭ放送局とＡＭ放送局の各周波数のデータ等を記憶するための記憶領域を有し、図４に示すファイル構造に従って、上記放送局と各放送局の周波数のデータを各設定釦２４〜２７に対応付けて記憶する。
【００２８】
また、自動プリセットの際に、同一放送局に属している複数の基地局から発せられる放送を受信した場合には、各基地局の周波数（搬送周波数）のデータを同一放送局の群（グループ）に対応付け、更に、その放送局を設定釦２４〜２７の１つに対応付けて記憶する。
【００２９】
例えば、図３に示した放送局（Ｂ１）に属する複数の基地局から発せられた放送の周波数がｆB11，ｆB12，ｆB13であったとすると、図４に示すプリセットデータ記憶部３８には、それらの周波数ｆB11，ｆB12，ｆB13を放送局（Ｂ１）の群として対応付け、更に、その放送局（Ｂ１）を設定釦２４〜２７のうちの空いている設定釦（例えば、設定釦２４）に対応付けて記憶する。これにより、各周波数ｆB11，ｆB12，ｆB13が異なっても、これらの周波数ｆB11，ｆB12，ｆB13は全て同一放送局（Ｂ１）に関連付けられ、更に、その放送局（Ｂ１）が、上記の空いている選局釦（例えば、設定釦２４）に対応付けられるようになっている。
【００３０】
次に、かかる構成を有する本実施形態の車載用オーディオシステム１４の基本動作について、図５に示す状態遷移図を参照して説明する。
【００３１】
使用者等が車両のイグニッションキーを操作して本車載用オーディオシステムを電源オンの状態にすると、中央制御部３４がこの電源オンの状態を検出し、ディフォルト表示モード１００を設定する。これにより、図１に示した表示部１６に、暦と月日及び現在時刻等が文字や図形等によって表示される。
【００３２】
このディフォルト表示モード１００の状態で、使用者等がソース選択釦２０〜２３のうちの１つを押すと、中央制御部３４が受信・再生モード１１０を設定して、次の制御を行う。
【００３３】
すなわち、ソース選択釦２０が押された場合には、チューナー３０に現在設定されている受信周波数のＡＭ放送を受信させ、更に、表示部１６にその受信周波数と受信バンド及び受信強度等の情報を文字や図形等によって表示させる。
【００３４】
ソース選択釦２１が押された場合には、チューナー３０に現在設定されている受信周波数のＦＭ放送を受信させ、更に、表示部１６にその受信周波数と受信バンド及び受信強度等の情報を文字や図形等によって表示させる。
【００３５】
ソース選択釦２２が押されるとＣＤ再生装置３１を起動させ、コンパクトディスクに記録されている楽音のトラック番号や記録時間等の情報を表示部１６に表示させる。ソース選択釦２３が押されるとＭＤ再生装置３２を起動させ、ミニディスクに記録されている楽音の記録番号等の情報を表示部１６に表示させる。
【００３６】
また、このように、ソース選択釦２０〜２３によって、チューナー３０、ＣＤ再生装置、ＭＤ再生装置のいずれかが選択されると、それに応じて各種設定が、設定釦２４〜２７に割り付けられて表示される。一例として、ソース選択釦２２によりＣＤ再生装置３１が選択されると、各設定釦２４〜２７には、順早送り再生、逆早送り、一時停止、再生開始等の表示が行われ、各設定釦２４〜２７がこれらの表示内容に対応した機能を有するように切り替わるようになっている。そして、使用者等がこれらの表示に従って各設定釦２４〜２７を操作すると、ＣＤ再生装置３１を上記表示内容に準じて制御できるようになっている。
【００３７】
また、受信・再生モード１１０の状態で、使用者等がソース選択釦２０〜２３を適宜に操作すると、上記同様にＦＭ放送又はＡＭ放送の受信や、ＣＤ再生やＭＤ再生を様々に切換えることができる。
【００３８】
更に、受信・再生モード１１０の状態で、使用者等がソース選択釦２０の操作によりＡＭ放送の受信を指示し、続いて設定釦２４〜２７のいずれか１つを押すと、中央制御部３４がその押された設定釦に予め対応付けられているＡＭ放送局の周波数をプリセットデータ記憶部３８から検索して、チューナー３０の受信周波数に設定し、更に、その受信周波数と受信バンド及び受信強度等の情報を文字や図形等によって表示部１６に表示させる。
【００３９】
また、受信・再生モード１１０の状態で、使用者等がソース選択釦２１の操作によりＦＭ放送の受信を指示し、続いて設定釦２４〜２７のいずれか１つを押すと、中央制御部３４がその押された設定釦に予め割り当てられているＦＭ放送局の周波数をプリセットデータ記憶部３８から検索して、チューナー３０の受信周波数に設定し、更に、その受信周波数と受信バンド及び受信強度等の情報を文字や図形等によって表示部１６に表示させる。
【００４０】
このように、使用者等は、ソース選択釦２０又は２１によりチューナー３０を選択した後、設定釦２４〜２７を選択的に操作することで、予めプリセットされているＡＭ放送局又はＦＭ放送局の放送を簡単に聴くことができるようになっている。
【００４１】
また、受信・再生モード１１０の状態で、使用者等が予め決められた所定時間が経過してもソース選択釦２０〜２３と設定釦２４〜２７を操作しないと、自動的にディフォルト表示モード１００に切換わり、表示部１６に暦と月日及び現在時刻が表示される。但し、自動的に受信・再生モード１１０からディフォルト表示モード１００に切換わる場合には、受信・再生モード１１０において最後に設定されたＦＭ放送やＡＭ放送の受信、ＣＤ再生、ＭＤ再生のいずれかの動作を引き続き継続する。
【００４２】
次に、受信・再生モード１１０の状態で、使用者等がソース選択釦２０又は２１を押してプリセット釦２８を押すと、ＡＭ放送又はＦＭ放送の放送局を自動的にプリセットするためのプリセットモード１２０となる。
【００４３】
ここで、ソース選択釦２０とプリセット釦２８が押されることによりプリセットモード１２０になると、チューナー３０が、受信可能なＡＭ放送局の周波数を、ＡＭ受信バンドのうちの下限周波数から上限周波数へ連続して自動的に検出する。更に、図４に示したファイル構造にしたがって、検出した放送局の周波数を自動的に各設定釦２４〜２７に対応付けてプリセットデータ記憶部３８に記憶させる。
【００４４】
また、ソース選択釦２１とプリセット釦２８が押されることによりプリセットモード１２０になると、チューナー３０が、受信可能なＦＭ放送局の周波数を、ＦＭ受信バンドのうちの下限周波数から上限周波数へ連続して自動的に検出する。更に、図４に示したファイル構造にしたがって、検出した放送局の周波数を自動的に各設定釦２４〜２７に対応付けてプリセットデータ記憶部３８に記憶させる。
【００４５】
より具体的には、図６に示すフローチャートに従って、ＦＭ放送局とＡＭ放送局の自動プリセットが行われる。尚、ＦＭ放送局とＡＭ放送局の自動プリセットは、共に同様の処理によって行われるので、ＡＭ放送局を自動プリセットする場合を代表して説明する。
【００４６】
上記のプリセットモード１２０になると、図６において、中央制御部３４がスピーカ３３を消音（ミュート）状態にする（ステップ２００）。
【００４７】
次に、ステップ２０１において、チューナー３０がＡＭ放送の受信バンドのうちの最も下限の周波数ｆLからチューニング（掃引）を開始する。
【００４８】
次に、ステップ２０２において、チューナー３０が受信可能なＡＭ放送局の周波数を検出したか否かを上記マイクロプロセッサが判断する。受信可能なＡＭ放送局の周波数が検出された場合には、「ＹＥＳ」と判断してステップ２０３の処理に移行し、受信可能な周波数が検出されない場合には、「ＮＯ」と判断してステップ２１１の処理へ移行する。
【００４９】
ステップ２１１では、検出中の周波数が上限の周波数ｆHであるか否かを上記マイクロプロセッサが判断し、上限の周波数ｆHでなければ、ステップ２１２において、チューナー３０のチューニング周波数を所定の値だけ上昇させて、再びステップ２０２からの処理を繰り返す。
【００５０】
ステップ２０３の処理へ移行すると、検出した受信信号の電界強度が検出され、次に、ステップ２０４において、その受信信号の周波数（搬送周波数）と同じ周波数のデータが図３に示した選局データ記憶部３７に存在するか否かが判断される。すなわち、ステップ２０４では、上記の受信信号が雑音等では無く、また正規のＡＭ放送局から発信されたものであるかの判断が行われる。ここで、受信信号の周波数と同じ周波数のデータが選局データ記憶部３７中に存在していない場合（「ＮＯ」の場合）には、ステップ２１１の処理に移行する。受信信号の周波数と同じ周波数のデータが選局データ記憶部３７中に存在していた場合（「ＹＥＳ」の場合）には、ステップ２０５の処理に移行する。
【００５１】
ステップ２０５では、上記の検出した周波数に基づいて、選局データ記憶部３７に記憶されている基地局の所在地と、その基地局の受信可能範囲のデータを検索する。更に、現在地認識部３５で検出される緯度と経度のデータに基づいて車両の現在の絶対位置を調べ、更にこの絶対位置と基地局の所在地との距離に基づいて、車両の現在の受信位置がその基地局の受信可能範囲内に該当するか否かの判断をする。
【００５２】
そして、上記受信位置が受信可能範囲内に無ければ「ＮＯ」と判断して、ステップ２１１の処理に移行する。また、上記受信位置が受信可能範囲内であれば、「ＹＥＳ」と判断してステップ２０６に移行し、その基地局が属している放送局の局名データを、選局データ記憶部３７から検索し、上記マイクロプロセッサの所定のワークエリア内にロードする。
【００５３】
次に、ステップ２０７において、上記ワークエリア内にロードした放送局と同名の放送局がプリセットデータ記憶部３８中に既に記憶されているかの判断が行われる。未だ同名の放送局が記憶されていないと、ステップ２０８へ移行して、設定釦２４〜２７に割り付けられている各チャンネルＣＨ１〜ＣＨ４の中で未だ放送局が対応付けられていないチャンネル、すなわち未使用のチャンネルが残っているか否かの判断が行われる。
【００５４】
全てのチャンネルが使用済みであれば、ステップ２１１の処理に移行し、未使用のチャンネルがあれば、ステップ２０９において、最も小さい番号の未使用チャンネルに、上記の検索した放送局の局名を対応付けて、プリセットデータ記憶部３８に記憶させる。更に、ステップ２１０において、上記の未使用チャンネルに対応付けられた放送局の局名に、上記の検出された周波数のデータを対応付けてプリセットデータ記憶部３８に記憶させる。
【００５５】
尚、ステップ２０７において、上記ワークエリア内にロードした放送局の局名と同じ放送局が、既にプリセットデータ記憶部３８中に記憶されていた場合には、ステップ２０８，２０９の処理を行うことなく直接ステップ２１０へ移行し、既に記憶されている放送局の局名に対応付けて、上記の検出された周波数のデータをプリセットデータ記憶部３８に記憶させる。
【００５６】
このステップ２１０の処理が終わると、ステップ２１１へ移行し、チューニングが上限周波数ｆHに達するまで、ステップ２０２〜２１２の処理が繰り返される。
【００５７】
そして、チューニングが上限周波数ｆHに達すると、ステップ２１１からステップ２１３へ処理が移行し、プリセットデータ記憶部３８に記憶された周波数の中から、最も電界強度の大きかった受信信号の周波数をチューナー３０の受信周波数に設定し、更にステップ２１４において、スピーカ３３のミュート状態を解除して、自動プリセットを終了する。
【００５８】
このように、自動プリセットが行われると、図４に示したように、プリセットデータ記憶部３８には、受信可能な放送局が設定釦２４〜２７のそれぞれに、重複することなく対応付けて記憶される。
【００５９】
更に、図９に示したように、所謂オーバーラップゾーンＺｎ内を車両が走行中に、自動プリセットを行わせると、同一の放送局に属する複数の基地局から送信されてくる放送の周波数が互いに異なっていても、それらの周波数は同一の放送局の局名に対応付けて記憶されるので、従来技術で問題となっていた同一の放送局によって複数の選局釦が占有されてしまうという問題が生じない。
【００６０】
そして、この自動プリセットの処理が完了すると、所定時間経過後に図５に示したディフォルト表示モード１００となり、次に、使用者等が再びソース選択釦２０を操作して受信・再生モード１１０を設定した後、設定釦２４〜２７を選択的に押すと、自動プリセットされたＡＭ放送局の放送を聴くことができる。
【００６１】
また、使用者等が、各設定釦２４〜２７を予め決められた所定時間以上押し続けると、その押し続けている選局釦（チャンネル）に対応付けられている放送局に属する複数の周波数が順繰りに選択され、その設定釦を離した時点で選択された周波数がチューナー３０の受信周波数に設定される。この結果、同一放送局に属する複数の基地局の周波数データが、図４に示したプリセットデータ記憶部３８に記憶された場合でも、使用者等はプリセットされた全ての周波数を選択することができるようになっている。
【００６２】
尚、ＡＭ放送局を自動プリセットする際の動作について説明したが、ＦＭ放送局の自動プリセットも、図６に示したフローチャートと同様の処理によって行われる。
【００６３】
このように、本実施形態によれば、自動プリセットによって、設定釦２４〜２７に別々の放送局を割り当てることができるので、設定釦を有効利用することができる。また、設定釦と放送局とが一対一に対応付けられてプリセットされることから、使用者等は、希望する放送局を簡単に選局することが可能となり、操作性の向上も実現される。
【００６４】
また、上記したプリセットの終了後に、車両の走行等により現在地が変わり、基地局から新たな周波数を受信した場合には、当該周波数が、選局データ記憶部３７に記憶されているか否かを判別し、記憶されている場合には、その放送局（例えば、Ｂ１）を割付け、記憶されていない場合には、新たな放送局（Ｂｎ）を作成して、選局データ記憶部３７に記憶することも可能である。
【００６５】
更に、各々の放送局の中では、最大の受信感度の周波数の放送を聴くように制御することが好ましい。この場合には、走行中に、現在選択中の放送局内の周波数の受信感度を監視し、最大の受信感度の周波数の放送に随時切り換えるように制御することも可能である。
【００６６】
また、設定釦２４〜２７に表示させるのは、プリセットデータ記憶部３８に記憶されたチャンネルＣＨ１〜ＣＨ４であるが、例えば、チャンネルＣＨ１を選択中の際には、当該チャンネルＣＨ１は、設定釦２４〜２７には表示しないように設定すれば、他のチャンネルＣＨ５又はＣＨ６等を表示させることも可能である。
【００６７】
また、現在地を認識する手段としては、予め地域毎に記憶されたデータを使用者等に選択させて、現在地を設定してもよい。
【００６８】
また、以上に説明した実施の形態では、使用者等によりプリセット開始の指示がなされると、図３に示したように、受信可能な放送局を自動的にプリセットしてプリセットデータ記憶部３８に放送局と周波数等の情報を記憶させることとしたが、本発明はこれに限定されるものではない。つまり、使用者等が手動でチューナーを操作し、受信可能な放送局の周波数を同調させる度に、所望の同調周波数を放送局に対応付けることにより、プリセットデータ記憶部３８にそれらの情報を記憶させるようにしてもよい。つまり、所謂マニュアル操作によって、プリセットしてもよい。
【００６９】
また、同一放送局に属する基地局からの放送の周波数を、その同一放送局に対応付けることにより、図３に示した階層化構造のプリセットデータ記憶部３８を構成する場合を説明した。しかし、本発明はこれに限定されるものではなく、使用者等が任意に決めた管理名称に、別の放送局に属する基地局や放送局からの放送の周波数を対応付けて、図３に示した階層化構造のプリセットデータ記憶部３８を構成するようにしてもよい。これによれば、使用者等の嗜好等に合わせたプリセットが可能となる。
【００７０】
また、本実施形態では、ラジオ放送を受信する受信装置について説明したが、本発明はこれに限定されるものではなく、テレビジョン受像機等にも適用することができる。
【００７１】
【発明の効果】
以上説明したように本発明によれば、受信可能な放送局をプリセットする際に、同一の放送局に属する基地局から異なった周波数で伝送されてくる放送を受信した場合に、それぞれの周波数を同一の放送局に対応付けると共に、その放送局を空いた設定手段に対応付けてプリセットするようにしたので、同一の放送局が複数の設定手段に重複してプリセットされることがない。この結果、各設定手段には、それぞれ異なった放送局がプリセットされ、設定手段の有効利用を図ることができる。
【図面の簡単な説明】
【図１】本実施形態に係る車載用オーディオシステムの概略構造を示す平面図である。
【図２】車載用オーディオシステムに備えられている制御回路の構成を示すブロック図である。
【図３】制御回路に設けられている選局データ記憶部のデータ構造を模式的に示す説明図である。
【図４】制御回路に設けられているプリセットデータ記憶部のデータ構造を模式的に示す説明図である。
【図５】車載用オーディオシステムの基本動作を説明するための状態遷移図である。
【図６】受信装置における自動プリセットの動作を説明するためのフローチャートである。
【図７】従来の車載用オーディオシステムの構造を示す平面図である。
【図８】従来の車載用オーディオシステムに設けられた記憶手段のメモリマップを示す説明図である。
【図９】従来の受信装置の問題点を説明するための説明図である。
【符号の説明】
２０〜２３…ソース選択釦
２４〜２７…設定釦
２８…プリセット釦
２９…チューニング釦
３０…チューナー
３４…中央制御部
３５…現在地認識部
３７…選局データ記憶部
３８…プリセットデータ記憶部
【図１】
0003794852.tif 000002
【図２】
0003794852.tif 000003
【図３】
0003794852.tif 000004
【図４】
0003794852.tif 000005
【図５】
0003794852.tif 000006
【図６】
0003794852.tif 000007
【図７】
0003794852.tif 000008
【図８】
0003794852.tif 000009
【図９】
0003794852.tif 000010